(57)【要約】【課題】  再生したい画像を短時間で見つけ出して表示手段に表示できる画像記録装置を提供する。【解決手段】  監視カメラ２２で撮影される画像のデータを記憶する画像記憶部４３と、制御部４２のプログラム記憶部４５内のウェブサーバのソフトウエアの実行により実現されるサーバ手段とを備え、サーバ手段は、画像記憶部４３の画像データが再生される再生画面を表示装置３５に表示するための情報を監視ユニット３に送信する処理と、再生画面において任意の画像が注目画像に指定されたときに、指定情報を画像データベース記憶部４４に記憶する処理と、指定情報に基づいて選択された画像データがサムネイル画像として一覧表示される画面を表示するための情報を監視ユニット３に送信する処理と、入力装置３４により選択されたサムネイル画像に対応する画像データが最初に再生される再生画面を表示するための情報を監視ユニット３に送信する処理とを実行する。【選択図】  図１
2007067457.tif 000002
【特許請求の範囲】
【請求項１】
監視カメラによって撮影される所定サイズの画像に応じた画像データを順次記憶する第１の記憶手段と、表示手段及び操作手段を有するブラウザ装置との間で情報の送受信を行うサーバ手段と、第２の記憶手段とを備え、
前記サーバ手段は、
前記ブラウザ装置からの第１の要求に応じて、前記第１の記憶手段に記憶されている画像データが所定サイズの画像として再生される再生画面を前記ブラウザ装置の表示手段に表示するための情報を前記ブラウザ装置に送信する処理と、
前記ブラウザ装置の表示手段で表示される前記再生画面において再生される任意の画像が前記ブラウザ装置の操作手段により注目画像に指定され、そのことを示す指定情報が前記ブラウザ装置から送信されてきたときに、前記指定情報を前記第２の記憶手段に記憶する処理と、
前記ブラウザ装置からの第２の要求に応じて、前記第１の記憶手段に記憶されている画像データのうち、前記第２の記憶手段に記憶されている全ての前記指定情報に基づいて選択された画像データが、それぞれ前記所定サイズより小さいサイズのサムネイル画像として一覧表示される注目画像一覧画面を前記ブラウザ装置の表示手段に表示するための情報を前記ブラウザ装置に送信する処理と、
前記ブラウザ装置の表示手段で表示される前記注目画像一覧画面において一覧表示された前記サムネイル画像の中から任意の一の前記サムネイル画像が前記ブラウザ装置の操作手段により選択されたときに、選択された前記サムネイル画像に対応する前記画像データが最初に再生される前記再生画面を前記ブラウザ装置の表示手段に表示するための情報を前記ブラウザ装置に送信する処理とを、実行するように構成された画像記録装置。
【請求項２】
前記第２の記憶手段に記憶される前記指定情報は、前記任意の画像が前記注目画像に指定されたことを示すマーカである請求項１に記載の画像記録装置。
【請求項３】
前記サーバ手段は、
前記ブラウザ装置の表示手段で表示される前記再生画面において前記ブラウザ装置の操作手段により文字情報を記入できるコメント記入欄が表示され、前記操作手段により前記任意の画像が前記注目画像に指定され、かつ、前記コメント記入欄に文字情報が記入され、この記入された文字情報が前記ブラウザ装置から送信されてきたときに、前記指定情報のマーカに対応させて前記文字情報を前記第２の記憶手段に記憶し、
前記ブラウザ装置からの前記第２の要求に応じて、前記文字情報が前記サムネイル画像とともに一覧表示される前記注目画像一覧画面を前記ブラウザ装置の表示手段に表示するための情報を前記ブラウザ装置に送信するように構成された請求項２に記載の画像記録装置。
【請求項４】
前記サーバ手段は、
前記ブラウザ装置の表示手段で表示される前記再生画面において前記ブラウザ装置の操作手段により文字情報を記入できるコメント記入欄が表示され、前記操作手段により前記コメント記入欄に文字情報が記入されたときに前記再生画面において再生されている画像が前記注目画像に指定され、前記コメント記入欄に記入された前記文字情報が前記指定情報として前記ブラウザ装置から送信されてきたときに、前記文字情報を前記第２の記憶手段に記憶し、
前記ブラウザ装置からの前記第２の要求に応じて、前記文字情報が前記サムネイル画像とともに一覧表示される前記注目画像一覧画面を前記ブラウザ装置の表示手段に表示するための情報を前記ブラウザ装置に送信するように構成された請求項１に記載の画像記録装置。
【請求項５】
前記サーバ手段は、さらに、
前記ブラウザ装置からの第３の要求に応じて、前記第２の記憶手段に記憶された前記文字情報に対してキーワード検索を行うためのキーワードを入力する検索画面を前記ブラウザ装置の表示手段に表示するための情報を前記ブラウザ装置に送信する処理と、
前記ブラウザ装置の表示手段で表示される前記検索画面において前記操作手段によりキーワードが入力され、このキーワードが前記ブラウザ装置から送信されてきたときに、前記第１の記憶手段に記憶されている画像データのうち、前記キーワードを含む前記文字情報に基づいて選択された画像データが、それぞれ前記所定サイズより小さいサイズのサムネイル画像として一覧表示される検索結果表示画面を前記ブラウザ装置の表示手段に表示するための情報を前記ブラウザ装置に送信する処理と、
前記ブラウザ装置の表示手段で表示される前記検索結果表示画面において一覧表示された前記サムネイル画像の中から任意の一の前記サムネイル画像が前記ブラウザ装置の操作手段により選択されたときに、選択された前記サムネイル画像に対応する前記画像データが最初に再生される前記再生画面を前記ブラウザ装置の表示手段に表示するための情報を前記ブラウザ装置に送信する処理とを、実行するように構成された請求項３または４に記載の画像記録装置。
【請求項６】
前記検索結果表示画面に、前記キーワードを含む前記文字情報が前記サムネイル画像とともに一覧表示される請求項５に記載の画像記録装置。
【請求項７】
前記ブラウザ装置の表示手段で表示される前記再生画面において、前記再生画面に前記最初に再生される画像データから、順次新しい画像データを再生する機能と、順次古い画像データを再生する機能とを含む複数の機能のそれぞれを、前記ブラウザ装置の操作手段により選択的に有効にできる請求項１〜６のいずれかに記載の画像記録装置。
【発明の詳細な説明】
【技術分野】
【０００１】
本発明は、ネットワークに接続された監視カメラで撮影された画像を記録する画像記録装置に関する。
【背景技術】
【０００２】
従来、それぞれ被監視場所を撮影する監視カメラを有する複数のカメラユニットと、監視カメラで撮影された画像を表示するための表示装置を有する監視ユニットとが、パケット通信網等のネットワークを介して接続された監視システムがある。さらに、このような監視システムでは、上記ネットワークに画像記録装置としてネットワークデジタルレコーダが接続され、このレコーダに、監視カメラにより撮影された画像が記録（記憶）され、その記録画像を監視ユニットの表示装置で再生できるように構成されている。
【特許文献１】特開２００３−９１３６号公報
【発明の開示】
【発明が解決しようとする課題】
【０００３】
上記従来の監視システムでは、監視ユニットの表示装置で、記録画像を再生する場合、再生したい画像を、ネットワークデジタルレコーダに記録されている膨大な記録画像の中から、例えば撮影された日時によって検索し、検索結果をサムネイル画像として表示できる機能が備えられている。しかしながら、再生しようとする都度、日時を指定して検索し、さらにその検索された多数のサムネイル画像の中から再生したい画像を探し出さなければならず、再生したい画像を見つけ出して表示するまでに長時間を要することになる。
【０００４】
本発明は上記のような課題を解決するためになされたもので、多数の記録画像の中から再生したい画像を短時間で見つけ出して表示手段（表示装置）に表示することが可能になる画像記録装置を提供することを目的としている。
【課題を解決するための手段】
【０００５】
上記課題を解決するために、本発明に係る画像記録装置は、監視カメラによって撮影される所定サイズの画像に応じた画像データを順次記憶する第１の記憶手段と、表示手段及び操作手段を有するブラウザ装置との間で情報の送受信を行うサーバ手段と、第２の記憶手段とを備え、前記サーバ手段は、前記ブラウザ装置からの第１の要求に応じて、前記第１の記憶手段に記憶されている画像データが所定サイズの画像として再生される再生画面を前記ブラウザ装置の表示手段に表示するための情報を前記ブラウザ装置に送信する処理と、前記ブラウザ装置の表示手段で表示される前記再生画面において再生される任意の画像が前記ブラウザ装置の操作手段により注目画像に指定され、そのことを示す指定情報が前記ブラウザ装置から送信されてきたときに、前記指定情報を前記第２の記憶手段に記憶する処理と、前記ブラウザ装置からの第２の要求に応じて、前記第１の記憶手段に記憶されている画像データのうち、前記第２の記憶手段に記憶されている全ての前記指定情報に基づいて選択された画像データが、それぞれ前記所定サイズより小さいサイズのサムネイル画像として一覧表示される注目画像一覧画面を前記ブラウザ装置の表示手段に表示するための情報を前記ブラウザ装置に送信する処理と、前記ブラウザ装置の表示手段で表示される前記注目画像一覧画面において一覧表示された前記サムネイル画像の中から任意の一の前記サムネイル画像が前記ブラウザ装置の操作手段により選択されたときに、選択された前記サムネイル画像に対応する前記画像データが最初に再生される前記再生画面を前記ブラウザ装置の表示手段に表示するための情報を前記ブラウザ装置に送信する処理とを、実行するように構成されている。
【０００６】
この構成によれば、ブラウザ装置の操作者は、表示手段に注目画像一覧画面を表示させて、注目画像一覧画面に表示されたサムネイル画像の中から再生したい画像を見つけ出して、それを選択することで所定サイズの画像で再生することができる。したがって、特に注目すべき画像、情報として公開したい画像などを一度再生したときに注目画像に指定しておくことで、次に再生したいときには注目画像一覧画面を表示させることにより、再生したい画像を短時間で見つけ出して再生することが可能になる。
【０００７】
また、前記第２の記憶手段に記憶される前記指定情報は、前記任意の画像が前記注目画像に指定されたことを示すマーカであるように構成してもよい。
【０００８】
さらに、この場合、前記サーバ手段は、前記ブラウザ装置の表示手段で表示される前記再生画面において前記ブラウザ装置の操作手段により文字情報を記入できるコメント記入欄が表示され、前記操作手段により前記任意の画像が前記注目画像に指定され、かつ、前記コメント記入欄に文字情報が記入され、この記入された文字情報が前記ブラウザ装置から送信されてきたときに、前記指定情報のマーカに対応させて前記文字情報を前記第２の記憶手段に記憶し、前記ブラウザ装置からの前記第２の要求に応じて、前記文字情報が前記サムネイル画像とともに一覧表示される前記注目画像一覧画面を前記ブラウザ装置の表示手段に表示するための情報を前記ブラウザ装置に送信するように構成されてあってもよい。
【０００９】
この構成により、注目画像一覧画面においてサムネイル画像に文字情報が付加されて表示されるので、再生しようとする画像の特定が容易となる。
【００１０】
また、前記サーバ手段は、前記ブラウザ装置の表示手段で表示される前記再生画面において前記ブラウザ装置の操作手段により文字情報を記入できるコメント記入欄が表示され、前記操作手段により前記コメント記入欄に文字情報が記入されたときに前記再生画面において再生されている画像が前記注目画像に指定され、前記コメント記入欄に記入された前記文字情報が前記指定情報として前記ブラウザ装置から送信されてきたときに、前記文字情報を前記第２の記憶手段に記憶し、前記ブラウザ装置からの前記第２の要求に応じて、前記文字情報が前記サムネイル画像とともに一覧表示される前記注目画像一覧画面を前記ブラウザ装置の表示手段に表示するための情報を前記ブラウザ装置に送信するように構成されてあってもよい。
【００１１】
この構成により、注目画像一覧画面においてサムネイル画像に文字情報が付加されて表示されるので、再生しようとする画像の特定が容易となる。
【００１２】
また、前記サーバ手段は、さらに、前記ブラウザ装置からの第３の要求に応じて、前記第２の記憶手段に記憶された前記文字情報に対してキーワード検索を行うためのキーワードを入力する検索画面を前記ブラウザ装置の表示手段に表示するための情報を前記ブラウザ装置に送信する処理と、前記ブラウザ装置の表示手段で表示される前記検索画面において前記操作手段によりキーワードが入力され、このキーワードが前記ブラウザ装置から送信されてきたときに、前記第１の記憶手段に記憶されている画像データのうち、前記キーワードを含む前記文字情報に基づいて選択された画像データが、それぞれ前記所定サイズより小さいサイズのサムネイル画像として一覧表示される検索結果表示画面を前記ブラウザ装置の表示手段に表示するための情報を前記ブラウザ装置に送信する処理と、前記ブラウザ装置の表示手段で表示される前記検索結果表示画面において一覧表示された前記サムネイル画像の中から任意の一の前記サムネイル画像が前記ブラウザ装置の操作手段により選択されたときに、選択された前記サムネイル画像に対応する前記画像データが最初に再生される前記再生画面を前記ブラウザ装置の表示手段に表示するための情報を前記ブラウザ装置に送信する処理とを、実行するように構成されてあってもよい。
【００１３】
この構成により、ブラウザ装置の操作者は、表示手段に検索画面を表示させて、文字情報に対してキーワード検索を行い、検索結果表示画面に表示されたサムネイル画像の中から再生したい画像を見つけ出して、それを選択することで所定サイズの画像で再生することもできる。したがって、キーワード検索の結果、表示されたより少ないサムネイル画像の中から再生したい画像を探し出せばよいので、より短時間で見つけ出すことが可能になる。
【００１４】
この場合、前記検索結果表示画面に、前記キーワードを含む前記文字情報が前記サムネイル画像とともに一覧表示されるようにしてもよい。
【００１５】
この構成により、検索結果表示画面においてサムネイル画像に文字情報が付加されて表示されるので、再生しようとする画像の特定が容易となる。
【００１６】
また、前記ブラウザ装置の表示手段で表示される前記再生画面において、前記再生画面に前記最初に再生される画像データから、順次新しい画像データを再生する機能と、順次古い画像データを再生する機能とを含む複数の機能のそれぞれを、前記ブラウザ装置の操作手段により選択的に有効にできるように構成されてあってもよい。
【００１７】
この構成により、最初に再生される画像を起点とした連続自動再生や連続逆転再生等が可能になる。
【発明の効果】
【００１８】
本発明は、以上に説明した構成を有し、多数の記録画像の中から再生したい画像を短時間で見つけ出して表示手段に表示することが可能になる画像記録装置を提供することができるという効果を奏する。
【発明を実施するための最良の形態】
【００１９】
以下、本発明の好ましい実施の形態を、図面を参照しながら説明する。
【００２０】
図１は、本発明の実施の形態の監視システムの構成を示すブロック図である。この監視システムでは、それぞれの被監視場所に設置されている複数のカメラユニット２と、例えば監視室に設置されているブラウザ装置である監視ユニット３と、所定場所に設置されている画像記録装置であるネットワークデジタルレコーダ（以下、単にレコーダという）４とが、それぞれネットワーク１に接続されている。これらの複数のカメラユニット２、監視ユニット３及びレコーダ４のそれぞれにＩＰアドレスが割り当てられている。また、監視ユニット３及びレコーダ４もそれぞれ複数設けられる場合があるが、本実施の形態では、説明の簡単化のため、監視ユニット３及びレコーダ４がそれぞれ１つ設けられている場合について説明する。
【００２１】
ネットワーク１は、ここではイーサーネット型のＬＡＮを用いるものとするが、ＬＡＮの他、ＷＡＮやインターネット等からなるパケット通信網を用いた構成とすることも可能である。
【００２２】
複数のカメラユニット２はそれぞれ同じ構成であり、各カメラユニット２には、トランスミッタで構成される通信処理部２１と、画像を撮影する監視カメラ２２とを備えている。通信処理部２１は、ネットワーク１に接続され、例えば、監視カメラ２２から入力される画像信号を、パケットに変換してネットワーク１へ送出する。
【００２３】
監視ユニット３には、ネットワーク１を介してカメラユニット２及びレコーダ４と通信（信号、データ等の送受信）等を行うための通信処理部３１と、ＣＰＵ等で構成される制御部３２と、ＲＯＭ及びＲＡＭ等で構成され、ＯＳ（オペレーティングシステム）及びウェブブラウザのソフトウエア等が記憶される記憶部３３と、キーボード及びマウス等の入力装置３４（操作手段）と、ＬＣＤ等のモニタディスプレイである表示装置３５（表示手段）とを備えている。制御部３２によって、監視ユニット３全体の動作が制御される。また、制御部３２が、記憶部３３に記憶されているウェブブラウザのソフトウエアを実行することにより、監視ユニット３はウェブブラウザ（ブラウザ装置）として機能する。
【００２４】
また、レコーダ４には、ネットワーク１を介してカメラユニット２及び監視ユニット３と通信（信号、データ等の送受信）等を行うための通信処理部４１と、ＣＰＵ等で構成される制御部４２と、ハードディスクで構成された画像記憶部４３と、同じくハードディスクで構成された画像データベース記憶部４４と、ＲＯＭ及びＲＡＭ等で構成され、ＯＳ、ウェブサーバのソフトウエア及びＨＴＭＬ形式の複数のウェブページのプログラム等が記憶されるプログラム記憶部４５とを備えている。制御部４２によって、レコーダ４全体の動作が制御される。また、制御部４２が、プログラム記憶部４５に記憶されているウェブサーバのソフトウエアを実行することにより、レコーダ４はウェブサーバ（サーバ手段）として機能する。
【００２５】
次に、この監視システムの動作を説明する。
【００２６】
監視ユニット３では、各カメラユニット２の監視カメラ２２で撮影される画像を表示装置３５の画面に表示することができ、その場合には、カメラユニット２から送信されてきた画像データを通信処理部３１で受信し、制御部３２の制御によって表示装置３５の画面に表示する。
【００２７】
各々のカメラユニット２では、監視カメラ２２から出力される画像信号を、通信処理部２１において、例えばＪＰＥＧ形式により符号化（Ａ/Ｄ変換して圧縮する処理）して所定サイズの静止画像の画像データ（撮影日時のデータを含む）を生成し、ネットワーク１を介してレコーダ４へ送信する。これにより、監視カメラ２２で順次、連続的に撮影される静止画像の画像データがレコーダ４へ送信される。また、前述のように、監視ユニット３の表示装置３５で表示する場合には、通信処理部２１は生成した画像データをネットワーク１を介して監視ユニット３へ送信する。
【００２８】
レコーダ４では、各々のカメラユニット２から送信されてきた画像データを通信処理部４１で受信し、画像データを画像記憶部４３に記憶するとともに、各々のカメラユニット２ごとの画像データのデータベースを作成して画像データベース記憶部４４に記憶する。
【００２９】
図２は、画像データベース記憶部４４に記憶されている任意の１つの監視カメラの画像データのデータベースの一例を示す。画像データを画像記憶部４３に記憶するときに、その画像データのファイル番号が付されて、撮影日時である日付（年、月、日）及び時刻（時、分、秒）が画像データベース記憶部４４に記憶される。そして、図２のようなデータベース４４ａが、各々の監視カメラごとに作成される。ただし、このときには、マーカは付されず（図２ではマーカが付されていないときの値を０とした例を示す）、コメントも作成されない。
【００３０】
次に、監視ユニット３からレコーダ４にアクセスして、レコーダ４に記録された画像の再生等を表示装置３５にて行う場合の動作を説明する。図３はこの場合の監視ユニット３の操作及び動作手順を示すフローチャートである。また、図４〜図１０は、表示装置３５の画面の表示例を示す図である。
【００３１】
まず、監視ユニット３において、操作者が入力装置３４を操作することにより、制御部３２が記憶部３３に予め記憶されたウェブブラウザを立ち上げ、通信処理部３１を介してネットワーク１に接続し、レコーダ４へアクセスしてログイン画面用のウェブページのプログラムを要求する。レコーダ４では、上記の要求に応じ、プログラム記憶部４５に予め記憶されているログイン画面用のウェブページのプログラムを通信処理部４１を介して、監視ユニット３へ送信する。
【００３２】
監視ユニット３では、ログイン画面用のウェブページのプログラムをネットワーク１を介して通信処理部３１により受信し、記憶部３３へ記憶する（ダウンロードする）。そして記憶部３３に記憶されたログイン画面用のウェブページのプログラムに基づいて、表示装置３５の画面５１には、図４のように、ログイン設定領域５２が示されたログイン画面が表示される（図３のステップＳ１）。操作者は、入力装置３４を操作してログイン設定領域５２の所定箇所にユーザ名及びパスワードを入力し、「ログイン」ボタンをクリックする。ここで制御部３２は、入力されたユーザ名及びパスワードを通信処理部３１を介してレコーダ４へ送信する。
【００３３】
レコーダ４では、制御部４２が、送信されてきた上記のユーザ名及びパスワードを、予めプログラム記憶部４５に記憶されているユーザ名及びパスワードと照合する。ここで例えば照合結果が一致していれば、プログラム記憶部４５に予め記憶されているホーム画面用のウェブページのプログラムを通信処理部４１を介して、監視ユニット３へ送信するとともに、画像記憶部４３に記憶されている各々の監視カメラ２２の最新の画像データを順次、監視ユニット３へ送信する。
【００３４】
監視ユニット３では、ホーム画面用のウェブページのプログラム、及び各々の監視カメラ２２の最新の画像データをネットワーク１を介して通信処理部３１により受信し、記憶部３３へ記憶する（ダウンロードする）。そして記憶部３３に記憶されたホーム画面用のウェブページのプログラム、及び各々の監視カメラ２２の最新の画像データに基づいて、表示装置３５の画面５１には、図５に示すようなホーム画面が表示される（図３のステップＳ２）。このホーム画面では、各々の画像表示領域５４に、各監視カメラ２２により撮影されている最新の画像が順次、表示される（図５の画像表示領域５４では表示画像の図示を省略し、空白にしている）。ここでは、監視システムにカメラユニット２が３個備えられている場合を例示しており、３個の各カメラユニット２の監視カメラ２２をカメラＡ、Ｂ、Ｃとし、各カメラＡ、Ｂ、Ｃで撮影される画像が、それぞれの画像表示領域５４に表示される。
【００３５】
そして、図５に示されるように、ホーム画面の左側には、操作メニュー５３が表示される。操作者が、入力装置３４を操作して操作メニュー５３のうち「画像検索／再生」ボタンをクリックすると、制御部３２は、通信処理部３１からネットワーク１を介してレコーダ４へ検索画面用のウェブページのプログラムの要求を送信する。
【００３６】
レコーダ４では、上記の要求に応じ、プログラム記憶部４５に予め記憶されている検索画面用のウェブページのプログラムを通信処理部４１を介して、監視ユニット３へ送信する。
【００３７】
監視ユニット３では、検索画面用のウェブページのプログラムをネットワーク１を介して通信処理部３１により受信し、記憶部３３へ記憶する（ダウンロードする）。そして記憶部３３に記憶された検索画面用のウェブページのプログラムに基づいて、表示装置３５の画面５１に、図６に示すような検索画面が表示される（図３のステップＳ３）。この検索画面では、各カメラＡ、Ｂ、Ｃについて、検索条件指定領域５５が表示される。この例では、検索条件として、撮影された日時（年、月、日、時、分、秒）を指定することができる。また、例えば「ＡＬＬ」をワイルドカード（ここでは任意の数字）として扱って指定することができる。検索対象とするカメラについての検索条件指定領域５５に、検索条件である日時を指定して、「検索実行」ボタンをクリックする（図３のステップＳ４）。これにより、制御部３２は、通信処理部３１からネットワーク１を介してレコーダ４へ、指定された検索条件（日時）と検索結果表示画面用のウェブページのプログラムの要求とを送信する。
【００３８】
レコーダ４では、制御部４２が、送信されてきた上記の検索条件を、画像データベース記憶部４４に記憶されているデータと照合し、検索条件に適合する全ての画像ファイル（画像データ及び撮影日時のデータを含む）を画像記憶部４３から読み出し、通信処理部４１を介して、監視ユニット３へ送信するとともに、検索結果表示画面用のウェブページのプログラムの要求に応じて、プログラム記憶部４５に予め記憶されている検索結果表示画面用のウェブページのプログラムを通信処理部４１を介して、監視ユニット３へ送信する。
【００３９】
監視ユニット３では、ネットワーク１を介して通信処理部３１により上記の画像ファイル（画像データ及び撮影日時のデータを含む）及び検索結果表示画面用のウェブページのプログラムを受信し、記憶部３３へ記憶する（ダウンロードする）。そして、記憶部３３に記憶された上記の画像ファイルと検索結果表示画面用のウェブページのプログラムに基づいて、表示装置３５の画面５１に、図７に示すような、サムネイル画像５６（図７では表示画像の図示を省略し、空白にしている）と撮影日時５７とが貼り付けられた検索結果表示画面が表示される（図３のステップＳ５）。ここで、表示装置３５では、記憶部３３に記憶されている画像ファイルの所定サイズの静止画像の画像データから縮小サイズのサムネイル画像のデータを作成してサムネイル画像５６を表示している。図７は、図６の検索画面において、カメラＡについて検索条件を２００５年に指定し（月、日、時、分、秒はワイルドカードを使用）、検索実行した場合の検索結果を示した例である。
【００４０】
操作者は、入力装置３４を操作して、図７の検索結果表示画面に示されたサムネイル画像のうちのいずれか１つをクリックすることにより、再生したい画像を選択する（図３のステップＳ６）。
【００４１】
上記のようにサムネイル画像の１つをクリックして選択すると、表示装置３５の画面５１に、図８に示すような再生画面が表示される（図３のステップＳ７）。詳しく説明すると、ステップＳ６で、サムネイル画像の１つがクリックされると、制御部３２は、通信処理部３１からネットワーク１を介してレコーダ４へ再生画面用のウェブページのプログラムの要求を送信する。
【００４２】
レコーダ４では、上記の要求に応じ、プログラム記憶部４５に予め記憶されている再生画面用のウェブページのプログラムを通信処理部４１を介して、監視ユニット３へ送信する。
【００４３】
監視ユニット３では、再生画面用のウェブページのプログラムをネットワーク１を介して通信処理部３１により受信し、記憶部３３へ記憶する（ダウンロードする）。そして記憶部３３に記憶された再生画面用のウェブページのプログラムと、記憶部３３に記憶されているクリックされたサムネイル画像に対応する画像ファイルとに基づいて、図８に示すような再生画面が表示される。再生領域５９には、選択されたサムネイル画像に対応する所定サイズの静止画像が表示される（図８では表示画像の図示を省略し、空白にしている）。
【００４４】
図８の再生画面において、再生コントロール機能表示領域６０に表示されている各機能のボタンをクリックすることにより、再生領域５９に表示されている静止画像から撮影日時が新しくなる順に静止画像の再生を連続して行う自動再生、撮影日時が古くなる順に静止画像の再生を連続して行う逆転再生、停止、１コマ前の静止画像の再生を行うコマ戻し再生、１コマあとの静止画像の再生を行うコマ送り再生等の機能を行わせることが可能である。また、再生速度調整の設定時間（図８の表示例では、０．５秒）は自動再生、逆転再生時における静止画像の再生時間間隔であり、この設定時間も調整可能である。なお、自動再生、逆転再生、コマ戻し再生、コマ送り再生により再生されるのは、再生画面が表示されたときに最初に再生されている静止画像を撮影した監視カメラ２２と同一の監視カメラにより撮影された画像である。また、自動再生、逆転再生、コマ戻し再生、コマ送り再生を行うときに、上記の検索結果以外の画像データが必要な場合には、制御部３２は必要な画像ファイルをレコーダ４に要求し、レコーダ４は、要求された画像ファイルを画像記憶部４３から読み出し、通信処理部４１を介して、監視ユニット３へ送信する。監視ユニット３では、ネットワーク１を介して通信処理部３１により上記の画像ファイルを受信し、記憶部３３へ記憶し、表示装置３５へ出力する。例えば、「自動再生」ボタンあるいは「逆転再生」ボタンがクリックされると、記憶部３３から再生すべき画像のデータが順次、表示装置３５へ出力され、再生領域５９に順次表示される。ここで、「停止」ボタンがクリックされると、「停止」ボタンがクリックされる直前に表示された静止画像が再生領域５９に表示された状態が維持される。また、「コマ戻し」ボタンがクリックされると、そのクリックされる直前に表示されている静止画像より１コマ前の静止画像が再生領域５９に表示され、その状態が維持される。「コマ送り」ボタンがクリックされると、そのクリックされる直前に表示されている静止画像より１コマあとの静止画像が再生領域５９に表示され、その状態が維持される。
【００４５】
次に、「画像選択」ボタン６２について説明する。再生領域５９にある静止画像が表示された状態が維持されている時、例えば、図７に示されたサムネイル画像の１つをクリックすることにより図８に示す再生画面が表示された最初の状態の時、「自動再生」ボタンあるいは「逆転再生」ボタンがクリックされてから「停止」ボタンがクリックされた後の状態の時、「コマ戻し」ボタンあるいは「コマ送り」ボタンがクリックされた後の状態の時等に、「画像選択」ボタン６２をクリックすると、そのクリックされたときに再生領域５９に表示されている静止画像について、コメント（文字情報）を作成して保存することができる。具体的には、「画像選択」ボタン６２をクリック（図３のステップＳ８）すると、図９に示すように、コメント作成欄６３がカメラ画像再生操作欄５８の左側で操作メニュー５３の下側に表示される。操作者は、入力装置３４を操作して、コメント記入領域６４にコメントを記入し、「ＯＫ」ボタン６５をクリックする（図３のステップＳ９）。この「ＯＫ」ボタン６５をクリックすると、コメント作成欄６３が消えて、図８に示す再生画面に戻る。
【００４６】
上記のステップＳ８からステップＳ９の動作について詳しく説明する。
【００４７】
図８の「画像選択」ボタン６２をクリックすると、制御部３２は、再生領域５９に表示されている静止画像に対応する画像ファイルのデータベースのマーカ欄にマーカ（画像が選択されたことを示すフラグ）を付す旨を通信処理部３１を介してレコーダ４へ送信する。
【００４８】
レコーダ４では、上記のマーカを付す旨を受信すると、制御部４２が、画像データベース記憶部４４に記憶されているデータベース中の対応する画像ファイルのマーカ欄にマーカを付す（値を１に書き換える）。
【００４９】
また、「画像選択」ボタン６２をクリックすると、図９に示すようにコメント作成欄６３が表示される。そのコメント記入領域６４にコメントを記入し、「ＯＫ」ボタン６５をクリックすると、制御部３２は、記入されたコメントを通信処理部３１を介してレコーダ４へ送信する。
【００５０】
レコーダ４では、制御部４２が、送信されてきた上記のコメントを、画像データベース記憶部４４に記憶されているデータベース中の対応する画像ファイルのコメント欄に記憶させる。図２のファイル番号５１の例では、図９のコメント記入領域６４に、「こちらは異常ありません。」と記入された場合を示している。なお、コメント記入領域６４にコメントを記入しないで、「ＯＫ」ボタン６５をクリックすると、データベースには前述の「画像選択」ボタン６２のクリックにより、マーカ欄にマーカが付されるのみとなる。また、「キャンセル」ボタン６６をクリックすると、コメント作成欄６３が消えて、「画像選択」ボタン６２をクリックする直前の状態に戻る。したがって、前述の「画像選択」ボタン６２のクリック操作に基づいてデータベースのマーカ欄に付されたマーカは消去される（値が０に書き換えられる）。
【００５１】
なお、上記において、図８の「画像選択」ボタン６２をクリックしたときには、監視ユニット３からデータベースのマーカ欄にマーカを付す旨をレコーダ４へ送信しないで、図９のコメント作成欄６３の「ＯＫ」ボタン６５をクリックしたときに、記入されたコメントとともにデータベースのマーカ欄にマーカを付す旨をレコーダ４へ送信するようにしてもよい。
【００５２】
次に図３のステップＳ１０について説明する。図５、図６、図７、図８に示された表示画面において、操作メニュー５３の「選択画像一覧」ボタンをクリックすると、図１０に示すような選択画像一覧画面（注目画像一覧画面）が表示される。操作メニュー５３の「選択画像一覧」ボタンをクリックすると、制御部３２は、選択画像の送信要求と選択画像一覧画面用のウェブページのプログラムの要求とを通信処理部３１を介してレコーダ４へ送信する。
【００５３】
レコーダ４では、制御部４２が、監視ユニット３からの選択画像の送信要求に応じて、画像データベース記憶部４４に記憶されているデータの中からマーカの付されている画像ファイルを選択し、選択した画像ファイルのコメントを読み出すとともに、選択した画像ファイルを画像記憶部４３から読み出して、それらを通信処理部４１を介して、監視ユニット３へ送信するとともに、選択画像一覧画面用のウェブページのプログラムの要求の要求に応じて、プログラム記憶部４５から選択画像一覧画面用のウェブページのプログラムを読み出して、通信処理部４１を介して、監視ユニット３へ送信する。
【００５４】
監視ユニット３では、ネットワーク１を介して通信処理部３１により上記のコメント、画像ファイル及び選択画像一覧画面用のウェブページのプログラムを受信し、記憶部３３へ記憶する（ダウンロードする）。そして、記憶部３３に記憶されている上記のコメント、画像ファイル及び選択画像一覧画面用のウェブページのプログラムに基づいて、表示装置３５の画面５１に、図１０に示すような選択画像一覧画面が表示される（図３のステップＳ１０）。この選択画像一覧画面では、テキスト情報であるコメント６７と画像情報であるサムネイル画像６８（図１０では表示画像の図示を省略し、空白にしている）とが対応して一覧表示される。なお、図１０の例では、前述の画像選択処理（ステップＳ８、Ｓ９）が行われた年月日を投稿日とし、各カメラＡ、Ｂ、Ｃによる監視場所を投稿者として予め定めており、便宜的に付与されたＮｏ（画像選択番号）、投稿日、投稿者、コメント６７、及びサムネイル画像６８がセット（以下、「画像選択セット」という）になって表示される。ここで、表示装置３５では、記憶部３３に記憶されている画像ファイルの所定サイズの静止画像の画像データから縮小サイズのサムネイル画像のデータを作成してサムネイル画像６８を表示している。なお、図９のコメント記入領域６４にコメントを記入しないで、「ＯＫ」ボタン６５をクリックしたものについては、図１０の選択画像一覧画面のコメント欄が空欄で表示される。
【００５５】
図１０の選択画像一覧画面において、ある１つのサムネイル画像６８をクリックすると、図７の検索結果表示画面において、ある１つのサムネイル画像５６をクリックした場合と同様、図８の再生画面が表示され、その再生領域５９には、選択されたサムネイル画像に対応する所定サイズの静止画像が表示される。この静止画像を起点として、自動再生、逆転再生、コマ戻し再生、コマ送り再生等を行うことができるのは前述した通りである。なお、選択画像一覧画面において、画像選択セットのうち、サムネイル画像６８のみに限られず、Ｎｏ（画像選択番号）、投稿日、投稿者、コメントのいずれかの枠内をクリックすることで、図８の再生画面が表示されるようにしてもよい。あるいは、コメントの枠内をクリックすることで、その枠内のコメント（未記入の場合も含む）を更新（訂正及び削除等）可能な状態とし、その枠内に直接（あるいは図９に示すようなコメント作成欄６３を表示させてそのコメント記入領域６４に）、入力装置３４を操作してコメントを追加記入あるいは訂正できるようにしてもよい。また、図１０の選択画像一覧画面では、選択画像セットが投稿日の古い順に表示されているが、投稿日の新しい順に表示されるようにしてもよい。また、投稿日の古い順と新しい順とを切り替えて表示できるようにしてもよい。また、投稿日の代わりに、あるいは、投稿日とともに、画像ファイルのデータに含まれる撮影日を表示するようにしてもよい。また、各監視カメラごとに、選択画像セットの一覧表示を行えるようにしてもよい。なお、投稿日を表示する場合には、図９のコメント作成欄６３の「ＯＫ」ボタン６５がクリックされ、レコーダ４でコメントが記憶されるときに、そのときの日付（投稿日）がコメントとともに画像データベース記憶部４４に記憶させるようにすればよい。図２では示していないが、例えば、コメントの欄の隣に投稿日の欄を設けて記憶させるようにしてもよい。
【００５６】
また、それぞれの選択画像セットには、「削除」ボタン６９が表示されており、この「削除」ボタン６９をクリックすることにより、それに対応する選択画像セットを削除できる。すなわち、「削除」ボタン６９がクリックされると、制御部３２の制御により表示装置３５では、それに対応する選択画像セットの表示を削除し、Ｎｏ（画像選択番号）が並び順に付け替えられる。さらに、制御部３２は、その選択画像セットのコメントとマーカを削除する旨を通信処理部３１を介してレコーダ４へ送信する。これを受けて、レコーダ４では、制御部４２が、削除する選択画像セットに対応する、画像データベース記憶部４４に記憶されているデータベースのコメント欄のコメントを削除するとともに、マーカ欄のマーカを消去する（値を０に書き換える）。
【００５７】
また、図６、図７、図８、図１０に示された表示画面において、操作メニュー５３の「ホーム」ボタンをクリックすると、図５に示されたホーム画面が表示される。図７、図８、図１０に示された表示画面において、操作メニュー５３の「画像検索／再生」ボタンをクリックすると、図６に示された検索画面が表示される。
【００５８】
なお、図８の再生画面には、再生領域５９に表示されている静止画像を電子メールに添付して携帯電話やパソコンへ送信するための「メール送信」ボタン６１が表示されているが、このようなメール送信機能は周知の技術であり、詳しい説明は省略する。
【００５９】
また、レコーダ４のプログラム記憶部４５に記憶されているホーム画面用、検索画面用、検索結果表示画面用、再生画面用、選択画像一覧画面用のそれぞれのウェブページのプログラムは、ログイン後に、一度、監視ユニット３の記憶部３３にダウンロードされた後は、ダウンロードされない。例えば、ログイン後に、１回目に図６の検索画面が表示されるとき、すなわち操作メニュー５３の「画像検索／再生」ボタンのクリック操作が最初（１回目）の時には、監視ユニット３からレコーダ４へ検索画面用のウェブページのプログラムの要求が送信されて、検索画面用のウェブページのプログラムがレコーダ４からダウンロードされるが、２回目以降に図６の検索画面が表示されるとき、すなわち、操作メニュー５３の「画像検索／再生」ボタンのクリック操作が２回目以降の時には、監視ユニット３からレコーダ４へ検索画面用のウェブページのプログラムの要求を送信せずに、すでにダウンロードされて記憶部３３に記憶されている検索画面用のウェブページのプログラムに基づいて検索画面が表示される。
【００６０】
なお、本実施の形態の場合、図９のコメント作成欄６３の表示用のプログラムは、図８の再生画面用のウェブページのプログラムに組み込まれている。
【００６１】
本実施の形態では、特に注目すべき画像、情報として公開したい画像など、あとで再生が必要となる画像に対してマーカを付しておくことで、選択画像一覧画面を呼び出して選択画像セットとして表示させることができ、再生したい画像を短時間で見つけ出して再生表示することが可能になる。例えば、ログイン後、図５のホーム画面の操作メニュー５３の「選択画像一覧」ボタンをクリックすると、図１０の選択画像一覧画面が表示され、その中から再生したい画像（サムネイル画像）をクリックすると、図８の再生画面で表示できる。なお、マーカを付すために一度画像を再生する必要があるが、マーカが付された後は、上述のように、選択画像一覧画面を呼び出すことで、再生したい画像を短時間で見つけ出すことが可能になる。例えば撮影された日時によって検索し、その検索結果として表示された多数のサムネイル画像の中から再生したい画像を見つけ出す場合と比べ、非常に効率的である。
【００６２】
なお、本実施の形態において、図８の再生画面および図９のコメント作成欄６３をそれぞれ別ウインドウを開いて表示するようにしてもよい。この場合、例えば、図８の再生画面のカメラ画像再生操作欄５８を、図１１（ａ）に示されるようにカメラ画像再生操作ウインドウ５８Ａとして表示し、図９に示されたコメント作成欄６３を、図１１（ｂ）に示されるようにコメント作成ウインドウ６３Ａとして表示すればよい。
【００６３】
また、本実施の形態では、例えば図２に示すように、マーカ及びコメントの両方をデータベースに記憶するようにしたが、いずれか一方のみを記憶するようにしてもよい。コメントを記憶せずに（すなわちデータベースにコメント欄を設けない）、マーカのみを記憶させる場合には、図８の再生画面において、「画像選択」ボタン６２をクリックすると、制御部３２は、マーカを付す旨を通信処理部３１を介してレコーダ４へ送信する。レコーダ４では、画像データベース記憶部４４に記憶されているデータベース中の対応する画像ファイルのマーカ欄にマーカを付す（値を１に書き換える）。この場合、操作メニュー５３の「選択画像一覧」ボタンがクリックされることにより、監視ユニット３から送信されてくる選択画像の送信要求に応じて、レコーダ４では制御部４２が、画像データベース記憶部４４に記憶されているデータの中からマーカの付されている画像ファイルを選択し、選択した画像ファイルを画像記憶部４３から読み出して監視ユニット３へ送信する。また、「選択画像一覧」ボタンがクリックされることにより、監視ユニット３から送信されてくる選択画像一覧画面用のウェブページのプログラムの要求に応じて、プログラム記憶部４５から選択画像一覧画面用のウェブページのプログラムを読み出して監視ユニット３へ送信する。監視ユニット３では、送信されてきた画像ファイル及び選択画像一覧画面用のウェブページのプログラムに基づいて、表示装置３５の画面５１に、選択画像一覧画面が表示される。この場合の選択画像一覧画面では、例えば図１０の表示画面において、コメント欄が削除された表示となる。
【００６４】
また、マーカを記憶せずに（すなわちデータベースにマーカ欄を設けない）、コメントのみを記憶させる場合には、図８の再生画面において、「画像選択」ボタン６２をクリックすると、図９に示すようにコメント作成欄６３が表示される。操作者は、入力装置３４を操作して、コメント記入領域６４にコメントを記入し、「ＯＫ」ボタン６５をクリックすると、制御部３２は、記入されたコメントを通信処理部３１を介してレコーダ４へ送信する。レコーダ４では、送信されてきたコメントを、画像データベース記憶部４４に記憶されているデータベース中の対応する画像ファイルのコメント欄に記憶させる。この場合、監視ユニット３から送信されてくる選択画像の送信要求に応じて、レコーダ４では制御部４２が、画像データベース記憶部４４に記憶されているデータの中からコメント欄にコメントが記憶されている画像ファイルを選択する。ここで、例えば、コメント欄に対し、キーワードにワイルドカードのみを使用したキーワード検索を行うことにより、コメントが記憶されている画像ファイルのみを選択することができる。そして、選択した画像ファイルのコメントを読み出すとともに、選択した画像ファイルを画像記憶部４３から読み出して、それらを監視ユニット３へ送信する。また、監視ユニット３から送信されてくる選択画像一覧画面用のウェブページのプログラムの要求に応じて、プログラム記憶部４５から選択画像一覧画面用のウェブページのプログラムを読み出して、監視ユニット３へ送信する。監視ユニット３では、送信されてきたコメント、画像ファイル及び選択画像一覧画面用のウェブページのプログラムに基づいて、表示装置３５の画面５１に、選択画像一覧画面が表示される。この場合の選択画像一覧画面は、例えば図１０の表示画面と同様である。
【００６５】
また、マーカ及びコメントのうち少なくともコメントを記憶させるようにした場合には、ステップＳ３、Ｓ４の検索を行う際に、データベースのコメント欄に対しキーワード検索を行えるようにしてもよい。この場合、例えば、図６の検索画面において、各カメラの検索条件指定領域５５内に、キーワードの入力欄を設けて、日時あるいはキーワード、あるいは日時とキーワードの両方で検索条件を指定できるようにすればよい。例えば、キーワードとして「不審者」を入力し検索実行すれば、コメント欄に「不審者」の文字が記載されている画像ファイルが検索される。また、キーワードとしてワイルドカード（任意の文字）のみを入力して検索実行すれば、コメント欄に何らかのコメントが記載されている画像ファイルが検索される。このようにキーワードを用いて検索を行った場合、検索結果表示画面は、図７のようにサムネイル画像が一覧表示されるようにしてもよいし、あるいは、図１０の選択画像一覧画面と同様、少なくともコメントとサムネイル画像とが対応して一覧表示されるようにしてもよい。
【００６６】
また、マーカ及びコメントのうち少なくともマーカを記憶させるようにした場合には、ステップＳ３、Ｓ４の検索を行う際に、データベースのマーカ欄に対し検索を行えるようにしてもよい。例えば、図６の検索画面において、各カメラの検索条件指定領域５５内に「マーカ検索」ボタンを設け、その「マーカ検索」ボタンをクリックすることで、データベースのマーカ欄にマーカが付されている画像ファイルの検索が実行されるようにすればよい。この場合、検索結果表示画面は、図７のようにサムネイル画像が一覧表示されるようにしてもよいし、あるいは、コメントも記憶させるようにしている場合には図１０の選択画像一覧画面と同様、少なくともコメントとサムネイル画像とが対応して一覧表示されるようにしてもよい。また、マーカ検索による検索結果表示画面において、マーカ及びコメントの両方を記憶させるようにしている場合で、コメントを記入せずに（データベースのコメント欄が空欄）、マーカのみが付されている画像ファイルに対応するサムネイル画像をクリックして、図８の再生画面を表示させ、さらに「画像選択」ボタン６２をクリックして、図９のようにコメント作成欄６３を表示させ、コメント記入領域６４にコメントを記入し、「ＯＫ」ボタン６５をクリックすることで、マーカのみが付されている画像ファイルに対しコメントを付加することができる。これと同様の手順によって、既にコメントが記憶されている画像ファイルに対し、コメントを更新（訂正及び削除等）できるようにしてもよい。
【００６７】
なお、本実施の形態では、マーカ及びコメントを、各々のカメラユニット２からの画像データを画像記憶部４３に記憶する時に作成されるデータベースに付加して記憶するようにしたが、別テーブルを作成して記憶するようにしてもよい。
【００６８】
また、本実施の形態では、監視カメラ２２を有するカメラユニット２が複数設けられている監視システムを用いて説明したが、本実施の形態のレコーダ４は、カメラユニット２（監視カメラ２２）が１つしかない監視システムについても当然適用することができる。本実施の形態のように、カメラユニット２が複数設けられている場合には、１つしか設けられていない場合に比べ、画像記憶部４３に記憶される画像データがより膨大な量となるので、本実施の形態のようにマーカ及び／又はコメントを記憶させて、選択画像一覧画面を表示するようにすることは、再生したい画像を短時間で見つけ出すために、より有効である。
【００６９】
また、本実施の形態では、各々のカメラユニット２からレコーダ４へ送信される画像データを例えばＪＰＥＧ形式により符号化された静止画像の画像データとしたが、カメラユニット２の通信処理部２１において、監視カメラ２２から出力される画像信号を、例えばＭＰＥＧ４形式により符号化して動画像の画像データ（撮影日時のデータを含む）を生成し、レコーダ４へ送信するようにしてもよい。この場合、レコーダ４では、画像記憶部４３に動画像の画像ファイルが記憶される。また、レコーダ４で記憶された画像データを監視ユニット３の表示装置３５で再生する場合には、例えば、図８の再生領域５９に動画像が表示される。
【産業上の利用可能性】
【００７０】
本発明は、記録画像をネットワークを介して接続されたブラウザ画面で再生表示する画像記録装置等として有用である。
【図面の簡単な説明】
【００７１】
【図１】本発明の実施の形態の監視システムの構成を示すブロック図である。
【図２】本発明の実施の形態のネットワークデジタルレコーダに記憶されたデータベースの一例を示す図である。
【図３】本発明の実施の形態の監視ユニットにおける操作及び動作手順を示すフローチャートである。
【図４】本発明の実施の形態の監視ユニットの表示装置の画面の表示例を示す図である。
【図５】本発明の実施の形態の監視ユニットの表示装置の画面の表示例を示す図である。
【図６】本発明の実施の形態の監視ユニットの表示装置の画面の表示例を示す図である。
【図７】本発明の実施の形態の監視ユニットの表示装置の画面の表示例を示す図である。
【図８】本発明の実施の形態の監視ユニットの表示装置の画面の表示例を示す図である。
【図９】本発明の実施の形態の監視ユニットの表示装置の画面の表示例を示す図である。
【図１０】本発明の実施の形態の監視ユニットの表示装置の画面の表示例を示す図である。
【図１１】本発明の実施の形態の監視ユニットの表示装置の画面の他の表示例を示す図である。
【符号の説明】
【００７２】
１  ネットワーク
２  カメラユニット
３  監視ユニット
４  ネットワークデジタルレコーダ
２１  通信処理部
２２  監視カメラ
３１  通信処理部
３２  制御部
３３  記憶部
３４  入力装置
３５  表示装置
４１  通信処理部
４２  制御部
４３  画像記憶部
４４  画像データベース記憶部
４５  プログラム記憶部
【図１】
2007067457.tif 000003
【図２】
2007067457.tif 000004
【図３】
2007067457.tif 000005
【図４】
2007067457.tif 000006
【図５】
2007067457.tif 000007
【図６】
2007067457.tif 000008
【図７】
2007067457.tif 000009
【図８】
2007067457.tif 000010
【図９】
2007067457.tif 000011
【図１０】
2007067457.tif 000012
【図１１】
2007067457.tif 000013